(57)【要約】      （修正有）【課題】保冷状態で収納、運搬でき、保管時、不使用時は折り畳んで小型化、コンパクト化できるだけではなく、蓋の開閉操作を簡単化できるようにして物品の出し入れに要する手間暇を軽減でき、また部材を節減して製造コスト、加工コストを抑えることができる折畳み式の保冷容器を提供する。【解決手段】柔軟質の断熱性面状材で箱形に、且つ周側壁１を介して折畳み可能に形成し、上面の物品出し入れ用の口２を閉塞する蓋３を面状ファスナー４で止め付け自在に形成する。蓋３を、一側壁１ａの上辺に連ねて延長状に形成し、面状ファスナー４の一方４ａを、蓋３の形成されている一側壁１ａ以外の三側壁の上辺周りに設ける。この一方の面状ファスナー４ａに鈎着させる他方の面状ファスナー４ｂを、蓋３の裏面の対応位置に設ける。蓋３の開閉操作用の取っ手８を、蓋３の先端側の縁に突片状に設ける。【選択図】図１
0003179701.tif 000002
【実用新案登録請求の範囲】
【請求項１】
柔軟質の断熱性面状材で箱形に、且つ周側壁を介して折畳み可能に形成され、上面の物品出し入れ用の口を閉塞する蓋が面状ファスナーで止め付け自在に形成されている折畳み式の保冷容器であって、上記の蓋が、一側壁の上辺に連ねて延長状に形成され、上記の面状ファスナーの一方が、蓋の形成されている一側壁以外の三側壁の上辺周りに設けられ、この一方の面状ファスナーに鈎着される他方の面状ファスナーが、蓋の裏面の対応位置に設けられ、蓋の開閉操作用の取っ手が、蓋の先端側の縁に突片状に設けられていることを特徴とする折畳み式の保冷容器。
【請求項２】
請求項1記載の折畳み式の保冷容器であって、折り畳まれた姿勢を固定するための止め具を外面に備えて形成されていることを特徴とする折畳み式の保冷容器。
【請求項３】
請求項２記載の折畳み式の保冷容器であって、止め具が、雌雄一対の面状ファスナーで形成され、一方の面状ファスナーが両側壁の下部の対向位置に先端を開放して帯片状に設けられ、この一方の面状ファスナーを鈎着させる他方の面状ファスナーが蓋の上面の両側に設けられていることを特徴とする折畳み式の保冷容器。
【考案の詳細な説明】
【技術分野】
【０００１】
本考案は、保冷容器に関し、更に詳しくは、例えばプラスチック製の折畳みコンテナ内に入れ、ワインボトル等の飲料瓶を運搬するのに使用する折畳み式の保冷容器に関するものである。
【背景技術】
【０００２】
従来、断熱性シートで箱形に形成した容器としては、例えば特許文献１に記載されているものがある。この従来品は、断熱性シートで外気温の影響を抑え、不使用時、保管時は折畳んで収納できるよう形成されている。
【０００３】
ところで、ワインボトル等の飲料瓶を運搬する場合は、外気温の影響を受けることがないよう冷えた状態で運搬でき、不使用時は嵩張ることなく保管できるだけではなく、瓶の出し入れ作業が楽になるよう、蓋を簡単且つ迅速に開閉できるよう形成されているのが望ましい。
【０００４】
しかるに、特許文献１に記載の従来品は、蓋が、方形の開口上面の周りに、各側壁の上辺から連ねて側壁ごと独立して計４枚（４片）設けられていた。
またこの従来品の場合は、夫々の蓋を止め付けるため、止め具としての面状ファスナーが、各蓋の表裏に夫々設けられていた。
【０００５】
従って、従来品の場合は、蓋の開閉操作が不便で、煩わしかったから、従来品を使用すると、物品の収納や、取り出し作業に手間暇がかかる、という問題点があった。
また従来品は、蓋の枚数や面状ファスナーの個数が多かったから、その分、製造コストが高くつくのを避けられなかった。
【先行技術文献】
【特許文献】
【０００６】
【特許文献１】特開２００２−２８２８号公報
【考案の概要】
【考案が解決しようとする課題】
【０００７】
本考案は、このような従来品の問題点に鑑み、提案されたものである。
従って本考案の解決しようとする技術的課題は、保冷状態で収納、運搬でき、保管時、不使用時は折り畳んで小型化、コンパクト化できるだけではなく、蓋の開閉操作を簡単化できるようにして物品の出し入れに要する手間暇を軽減でき、また部材を節減して製造コスト、加工コストを抑えることができるよう形成した、使い勝手の良い折畳み式の保冷容器を提供することにある。
【課題を解決するための手段】
【０００８】
本考案は、上記の課題を解決するため、次の様な技術的手段を採る。
即ち、本考案は、図１等に示されるように、柔軟質の断熱性面状材で箱形に、且つ周側壁１を介して折畳み可能に形成され、上面の物品出し入れ用の口２を閉塞する蓋３が面状ファスナー４で止め付け自在に形成されている折畳み式の保冷容器であって、上記の蓋３が、一側壁１ａの上辺に連ねて延長状に形成され、上記の面状ファスナー４の一方４ａが、蓋３の形成されている一側壁１ａ以外の三側壁の上辺周りに設けられ、この一方の面状ファスナー４ａに鈎着される他方の面状ファスナー４ｂが、蓋３の裏面の対応位置に設けられ、蓋３の開閉操作用の取っ手８が、蓋３の先端側の縁に突片状に設けられていることを特徴とする（請求項１）。
【０００９】
本考案の場合、面状ファスナー４は、連続して設けられているのでも、断続的に設けられているのでも良い。蓋３の開閉操作用の取っ手８は、単に舌片状に形成されているのでも良いが、図１等に示されるように、帯片を返して袋孔状に形成されているのが好ましい。この場合は、手指を取っ手８の袋孔に入れて引っ掛けることができ、蓋３の開閉操作を楽にできるからである。
【００１０】
また本考案は、折り畳まれた姿勢を固定するための止め具９を外面に備えて形成されているのが好ましい（請求項２）。
なぜならこれによると、不使用時に本考案品を整然と保管できるからである。
【００１１】
また本考案品は、止め具９が、雌雄一対の面状ファスナー９ａ，９ｂで形成され、一方の面状ファスナー９ａが両側壁の下部の対向位置に先端を開放して帯片状に設けられ、この一方の面状ファスナー９ａを鈎着させる他方の面状ファスナー９ｂが蓋３の上面の両側に設けられているのが好ましい（請求項３）。
なぜならこれによると、折畳み姿勢の固定や解除を、確実に且つ簡単にできるからである。
【考案の効果】
【００１２】
本考案は、このように断熱性の面状材で折畳み式に形成されている保冷容器において、蓋が、一側壁の上辺に連ねて延長状に形成され、面状ファスナーの一方が、蓋の形成されている一側壁以外の三側壁の上辺周りに設けられ、この一方の面状ファスナーに鈎着される他方の面状ファスナーが、蓋の裏面の対応位置に設けられ、蓋の開閉操作用の取っ手が、蓋の先端側の縁に突片状に設けられている。
【００１３】
従って本考案の場合は、ワインボトル等を保冷状態で運搬でき、保管時、不使用時は折り畳んで小型化、コンパクト化できるだけではなく、蓋の開閉操作を、簡単、迅速にできるから、これによれば物品の収納や、取り出し作業の手間暇を軽減できる。
また本考案は、蓋や面状ファスナーの個数を節減できるから、これによれば製造コスト、加工コストを抑えることができ、その分、安価に提供できる。
【図面の簡単な説明】
【００１４】
【図１】本考案の保冷容器の好適な一実施形態を示す開蓋時の斜視図である。
【図２】同上容器の開蓋時の平面図である。
【図３】同上容器の閉蓋時に斜視図である。
【図４】同上容器の折畳み時の斜視図である。
【図５】同上容器の閉蓋時の平面図である。
【図６】同上容器の閉蓋時の正面図である。
【図７】同上容器の閉蓋時の側面図である。
【図８】同上容器の折畳み時の正面図である。
【図９】同上容器の使用例を説明するための斜視図である。
【図１０】同上容器の使用例を説明するための斜視図である。
【図１１】折畳みコンテナの折畳み時の斜視図である。
【考案を実施するための形態】
【００１５】
以下、本考案を実施するための好適な一実施形態を、添付図面に従って説明する。
本考案は、図１等に示されるように、柔軟質の断熱性面状材で箱形に、且つ周側壁１を介して折畳み可能に形成されている。また本考案は、上面の物品出し入れ用の口２を閉塞する蓋３が面状ファスナー４で止め付け自在に形成されている。この実施形態の本考案品は、周側壁１に形成されている折目５を介して二つ折り状に形成されている。
【００１６】
上記の蓋３は、この実施形態では、長手方向に沿った一側壁１ａの上辺に連ねて延長状に形成されている。またこの蓋３は、裏面に、保冷材６の収納部７を備えて形成されている。この収納部７は、口７ａを横にして袋状に形成されている。
【００１７】
上記の面状ファスナー４は、雌雄一対状に形成され、この実施形態では雌型の一方の面状ファスナー４ａが、上記の一側壁１ａ以外の三側壁の上辺周りに連続状に設けられている。またこの一方の面状ファスナー４ａに鈎着する他方の雄型の面状ファスナー４ｂが、蓋３の裏面の対応位置に、この実施形態では蓋３の三辺に沿って連続状に設けられている。
【００１８】
また本考案品は、蓋３の開閉操作用の取っ手８が、蓋３の先端側の、この実施形態では中央の縁に突片状に設けられている。この取っ手８は、帯片を返して袋孔状に形成されている。
【００１９】
またこの実施形態の本考案は、折り畳まれた姿勢を固定するための止め具９を外面に備えて形成されている。この止め具９は、雌雄一対の面状ファスナー９ａ，９ｂで形成され、一方の面状ファスナー９ａが両側壁の下部の対向位置に先端を開放して帯片状に設けられている。またこの一方の面状ファスナー９ａを鈎着させるための他方の面状ファスナー９ｂ（図３等参照）が蓋３の上面の両側に設けられている。
【００２０】
１０（図９〜図１１参照）は、プラスチック製の折畳みコンテナである。このコンテナ１０は、側面のヒンジ部１０ａを介して長手方向の側面１０ｂが内側に二つ折り状に形成され、短手方向の側面１０ｃは内側に倒伏可能に形成されている。
【００２１】
本考案品は、単独で使用されるのでも良いが、運搬時の振動、衝撃から瓶等の収納物品を保護するため、通常、この種のコンテナ１０に入れられて使用されるものである。従って、この実施形態の本考案品は、コンテナ１０の縦横高さ寸法に合せて大きさが選定されている。
【００２２】
次に、この実施形態の本考案品の使用例を説明する。
【００２３】
先ず、使用者は、ワインボトル等の物品を収納して蓋３を閉める。蓋３は、一方の面状ファスナー４ａと他方の面状ファスナー４ｂとが噛み合うことにより固定される。
【００２４】
次に、使用者は、図９に示されるように、折畳みコンテナ１０に本考案品を入れる。そして、この状態で運搬し、運搬先で、例えば図１０に示されるように、蓋３を開け、収納物品を取り出す。蓋３を開ける際は、取っ手８を利用して行う。
【００２５】
而して、本考案品の保管時は、図４等に示されるように、折目５（図１等参照）を介して折畳み、扁平化する。そして、使用者は、止め具９の一方の面状ファスナー９ａを他方の面状ファスナー９ｂに鈎着して固定する。
【００２６】
以上の処において、上記の取っ手８は、単に帯片状（舌片状）に形成されているのでも良く、上例に限定されるものではない。また本考案は、上記の止め具９の構造も任意であり、例えば折畳み状態の本考案品を巻回して固定できるよう長い帯状に形成されているのでも良い。
【符号の説明】
【００２７】
１      周側壁
１ａ    一側壁
２      物品出し入れ用の口
３      蓋
４      面状ファスナー
４ａ    一方の面状ファスナー
４ｂ    他方の面状ファスナー
８      取っ手
【図１】
0003179701.tif 000003
【図２】
0003179701.tif 000004
【図３】
0003179701.tif 000005
【図４】
0003179701.tif 000006
【図５】
0003179701.tif 000007
【図６】
0003179701.tif 000008
【図７】
0003179701.tif 000009
【図８】
0003179701.tif 000010
【図９】
0003179701.tif 000011
【図１０】
0003179701.tif 000012
【図１１】
0003179701.tif 000013